(57)【要約】      （修正有）【課題】主に男性が好むような、スーツの内側ポケット、ズボンのポケット、シャツのポケット等にかさばらず収納できる、携帯性、機能性に優れた、本体が薄いのに名刺を取り出しやすい、名刺入れ、カードケースの実現。【解決手段】四角形の名刺入れであって、当該四角形を構成する４つの辺のうち、１つの辺が、名刺を入れることができる挿入口となっており、当該四角形の名刺入れの表面を構成する平面素材と、当該四角形の名刺入れの裏面である内側面を構成する平面素材と、の間に構成される中空の空間に、前記表面及び裏面の形状に沿った平面素材が挿入されており、当該挿入される平面素材は、前記四角形の名刺入れの４つの辺のうち、前記名刺を入れることができる挿入口の辺の対辺に対して、凹み形状であること、を特徴とする名刺入れである。【選択図】図２
2011110297.tif 000002
【特許請求の範囲】
【請求項１】
四角形の名刺入れであって、
当該四角形を構成する４つの辺のうち、１つの辺が、名刺を入れることができる挿入口となっており、
当該四角形の名刺入れの表面を構成する平面素材と、
当該四角形の名刺入れの裏面である内側面を構成する平面素材と、
の間に構成される中空の空間に、
前記表面及び裏面の形状に沿った平面素材が挿入されており、
当該挿入される平面素材は、前記四角形の名刺入れの４つの辺のうち、前記名刺を入れることができる挿入口の辺の対辺に対して、凹み形状であること、
を特徴とする名刺入れ。
【請求項２】
四角形の名刺入れであって、
当該四角形を構成する４つの辺のうち、１つの辺が、名刺を入れることができる挿入口となっており、
当該四角形の名刺入れの表面を構成する平面素材は、
夫々、２以上の平面素材から構成されており、
当該四角形の名刺入れの表面を構成する平面素材の夫々が、前記四角形の名刺入れの４つの辺のうち、前記名刺を入れることができる挿入口の辺の対辺に対して、凹み形状の形の面積の部分に、圧力をかけるとたわむ平面素材を採用していること、
を特徴とする名刺入れ。
【請求項３】
前記請求項１又は２記載の名刺入れの構成と、同じ構成を採用したカードケース。
【発明の詳細な説明】
【技術分野】
【０００１】
本発明は、名刺入れ、カードケースに関するものである。特に、薄さと出し入れのし易さの両立を追求し、携帯性、機能性のバランスを考慮した、名刺入れ、カードケースに関するものである。
【背景技術】
【０００２】
従来の名刺入れでは、収納力や、取り出しやすさを目的とした、マチや、落下防止の蓋が付いているため、分厚い名刺入れが多い。
【０００３】
しかし、このような一般的な名刺入れでは、スーツの内側ポケット、ズボンのポケット、シャツの胸ポケット等に収納する際に、かさばってしまい、不恰好になる。
【０００４】
また、マチが少なく、薄い名刺入れや定期入れは、特に、重ねて収納する際に、上から２枚目以降の名刺や定期を取り出しにくいという不都合がある。
【０００５】
さらに、一般的な皮や合皮の名刺入れでは、名刺を取り出す際に、名刺が名刺入れにくっついてしまい、取り出すのに手間がかかってしまう、という不都合がある。
【０００６】
なお、本願の特許出願人は、本願に係る発明に関して、特許文献を特に知らない。
【発明の概要】
【発明が解決しようとする課題】
【０００７】
本願に係る発明の課題は、主に男性が好むような、スーツの内側ポケット、ズボンのポケット、シャツのポケット等にかさばらず収納できる、携帯性、機能性に優れた、本体が薄いのに名刺を取り出しやすい、名刺入れ、カードケースの実現である。
【課題を解決するための手段】
【０００８】
１、
【０００９】
（１）
そこで、本発明に係る名刺入れは、
四角形の名刺入れであって、
当該四角形を構成する４つの辺のうち、１つの辺が、名刺を入れることができる挿入口となっており、
当該四角形の名刺入れの表面を構成する平面素材と、
当該四角形の名刺入れの裏面である内側面を構成する平面素材と、
の間に構成される中空の空間に、
前記表面及び裏面の形状に沿った平面素材が挿入されており、
当該挿入される平面素材は、前記四角形の名刺入れの４つの辺のうち、前記名刺を入れることができる挿入口の辺の対辺に対して、凹み形状であること、
を特徴とする名刺入れである。
【００１０】
（２）
「四角形を構成する４つの辺のうち、１つの辺が、名刺を入れることができる挿入口となっており」とは、少なくとも１辺が名刺を挿入する挿入口としての機能を果たすように開口しており、他の３辺は、名刺を保持する空間としての役割を果たすことができるように、名刺が漏れ出ない程度に閉じられていることを意味する。
「四角形の名刺入れの表面」とは、名刺入れの利用者が直接触れる、名刺入れの外側の両面のうち、各面のことを意味する。
「四角形の名刺入れの裏面である内側面」とは、名刺が収納される、名刺入れの内側の両面のうち、各面のことを意味する。
「当該四角形の名刺入れの表面を構成する平面素材と、当該四角形の名刺入れの裏面である内側面を構成する平面素材と、の間に構成される中空の空間」とは、名刺入れにおいて、対となる外側面と内側面の間に生じる、空間を意味する。
「表面や裏面を構成する平面素材」の例として、革、合皮、布、プラスチック、ゴム等の比較的たわみやすい素材が考えられる。
「中空に挿入する平面素材」の例として、型崩れを防止する厚紙、プラスチック等が該当する。
「表面又は裏面の形状に沿った平面素材」とは、表面又は裏面の形状が四角形であるため、表面又は裏面の四角形の範囲内の形状である、という意味である。
「平面素材は、前記名刺を入れることができる挿入口の辺の対辺に対して、凹み形状になっている」とは、四角形の名刺入れの名刺を入れる挿入口の辺と向かい合う対辺、すなわち、名刺入れの底にあたる辺に対して、当該平面素材が凹み形状になり、当該挿入口の辺の方向に凹み形状である、という意味である。
この「凹み形状」とは、四角く凹む形状だけを意味するのではなく、半円のように凹んでいる場合も含む。「凹み形状」は、下記のように、名刺入れ本体をサイドからスクイーズした場合に、名刺を押し上げる程度の凹み形状が存在すればよい。
【００１１】
（３）
本発明により、最低限、名刺入れの外側の両面となる１枚の平面素材と、名刺入れの内側の両面となる１枚の平面素材と、の２枚の平面素材と、内部に挿入する平面素材、だけで名刺入れを構成できるため、非常に薄い名刺入れの実現が可能である。これにより、スーツの内側ポケット、ズボンのポケット、シャツの胸ポケット等に収納するのに、スマートな名刺入れが実現できる。
そして、当該名刺入れ本体を、サイドからスクイーズすると、圧力により、中空部分に平面素材が入っていない名刺入れの底の素材の部分が折れ曲がり、折れ曲がった底の素材部分が名刺を押し上げ、名刺やカードが挿入口よりポップアップして取り出しやすくなる。これにより、上から２枚目以降の名刺を取り出し易くなり、名刺を取り出す際に、名刺が名刺入れにくっついてしまい、取り出すのに手間がかかってしまう、という不都合が生じにくい。
【００１２】
２、
【００１３】
（１）
また、他の発明に係る名刺入れは、
四角形の名刺入れであって、
当該四角形を構成する４つの辺のうち、１つの辺が、名刺を入れることができる挿入口となっており、
当該四角形の名刺入れの表面を構成する平面素材は、
夫々、２以上の平面素材から構成されており、
当該四角形の名刺入れの表面を構成する平面素材の夫々が、前記四角形の名刺入れの４つの辺のうち、前記名刺を入れることができる挿入口の辺の対辺に対して、凹み形状の形の面積の部分に、圧力をかけるとたわむ平面素材を採用していること、
を特徴とする名刺入れである。
【００１４】
（２）
「表面を構成する平面素材」の例として、プラスチック、ステンレス等が考えられる。
「圧力をかけるとたわむ平面素材」の例として、革、合皮、布、ゴム等の、比較的たわみやすい素材が考えられる。
【００１５】
（３）
本発明により、表面の１枚の平面素材と、裏面の１枚の平面素材と、の２枚の平面素材と、だけで名刺入れを構成できるため、非常に薄い名刺入れの実現が可能である。
そして、当該名刺入れ本体を、サイドからスクイーズすると、圧力により、圧力をかけるとたわむ平面素材が採用されている名刺入れの底の部分が折れ曲がり、折れ曲がった底の素材部分が名刺を押し上げ、名刺やカードが挿入口よりポップアップして取り出しやすくなる。
【００１６】
３、
【００１７】
（１）
また、他の発明に係るカードケースは、
上記名刺入れと同様の構成を採用したカードケースである。
【００１８】
（２）
「カードケース」の例として、定期入れ、キャッシュカードやポイントカード入れ、等が考えられる。
【発明の効果】
【００１９】
本願に係る名刺入れやカードケースにより、主に男性が好むような、スーツの内側ポケット、ズボンのポケット、シャツのポケット等にかさばらず収納できる、携帯性、機能性に優れた、本体が薄いのに名刺やカードを取り出しやすい、名刺入れ、カードケースが実現できる。
【図面の簡単な説明】
【００２０】
【図１】（ａ）は、本発明に係る名刺入れの裏面を構成する平面素材としての皮又は合皮と、表面との中空に挿入する２枚の厚紙を図示したものである。  （ｂ）は、本発明に係る名刺入れの表面を構成する平面素材としての皮又は合皮を図示したものである。
【図２】（ａ）は、図１（ａ）、（ｂ）の本発明に係る名刺入れの表面と裏面とを縫製加工し、名刺入れの形に形成した図である。  （ｂ）は、図２（ａ）の本発明に係る名刺入れに、側面から圧力を加え、内部に保持している名刺がポップアップしている図である。
【発明を実施するための形態】
【００２１】
図１（ａ）は、本発明に係る名刺入れの裏面を構成する皮又は合皮と、表面との中空に挿入する２枚の厚紙を図示したものである。
図１（ｂ）は、本発明に係る名刺入れの表面を構成する皮又は合皮を図示したものである。
表面との中空に挿入する２枚の平面素材としての厚紙は、表面及び裏面の形状に沿った形状であり、名刺を入れることができる挿入口となる辺の対辺に対して、凹み形状の切り込みが入っている。
厚紙をどの位の大きさにするかは任意であるが、縫製部分を考慮して、名刺入れのサイズより一回り小さ目の四角形とし、凹み形状の切り込みを入れることが考えられる。凹み形状は、半円形のものとして構成することも考えられる。
【００２２】
図２（ａ）は、図１（ａ）、（ｂ）の本発明に係る名刺入れの表面と裏面とを縫製加工し、名刺入れの形に形成した図である。
名刺を入れる名刺入れ内部の空間をどの位の大きさにするかは任意であるが、スペースとポップアップの効果との観点から、例えば、１５枚程度の名刺を挿入できるように構成することが考えられる。
図２（ａ）では、名刺入れの挿入口から名刺が挿入され、保持されている。点線部分が縫製部分にあたる。
【００２３】
図２（ｂ）は、図２（ａ）の本発明に係る名刺入れに、側面から手で圧力を加え、内部に保持している名刺がポップアップしている図である。
手による左右からの圧力により、厚紙が存在しない部分の皮又は合皮がたわみ、名刺入れがくっつかず、上手く名刺を取り出すことができる。
【００２４】
図１及び２では、名刺入れについて説明したが、同様の構成で、カードケースを製造することもできる。
【００２５】
また、図１及び２では、表面と裏面との中空に平面素材を挿入する例を説明したが、表面を構成する平面素材を、２以上の平面素材から構成するようにする構成も考えられる。
具体的には、四角形の名刺入れの４つの辺のうち、名刺を入れることができる挿入口の辺の対辺に対して、凹み形状の形の面積の部分に、圧力をかけるとたわむ平面素材を採用すること、である。
【００２６】
これにより、図２（ｂ）のように、名刺入れの側面から手で圧力を加えると、圧力をかけるとたわむ平面素材を採用している部分がたわむため、内部に保持している名刺がポップアップする。
【産業上の利用可能性】
【００２７】
本発明に係る名刺入れ、カードケースを製造、販売することにより、産業の発達に寄与することができる。
【図１】
2011110297.tif 000003
【図２】
2011110297.tif 000004